(57)【特許請求の範囲】
【請求項１】
直列に配置されるエンジン及びモータと、前記モータと駆動輪との間に配置されるクラッチと、前記クラッチに供給される油圧を調圧する調圧機構と、少なくとも発進時に前記クラッチに供給される油圧を前記調圧機構によって前記クラッチがスリップする油圧に調圧するウェットスタートクラッチ制御を行うハイブリッド車両の故障判定装置であって、
アクセル開度に基づき要求駆動力を演算し、該要求駆動力を前記クラッチで伝達するのに必要な前記クラッチのトルク容量を目標トルク容量として演算する目標トルク容量演算手段と、
前記エンジンの実トルク及び前記モータの実トルクを演算する実トルク演算手段と、
前記目標トルク容量と前記エンジンの実トルク及び前記モータの実トルクの和との偏差であるトルク偏差を演算するトルク偏差演算手段と、
前記ウェットスタートクラッチ制御中に前記トルク偏差が第１故障判定値よりも大きくなった場合に前記クラッチに締結不良が生じていると判定する故障判定手段と、
を備えた故障判定装置。
【請求項２】
請求項１に記載の故障判定装置であって、
前記故障判定手段は、前記クラッチの締結不良発生時の前記エンジンの空吹きを前記モータの回生によって抑えることができない場合は、前記ウェットスタートクラッチ制御中に前記クラッチにおける回転速度差が第２故障判定値よりも大きくなった場合に前記クラッチに締結不良が生じていると判定する、
故障判定装置。
【請求項３】
請求項１又は２に記載の故障判定装置であって、
前記故障判定手段は、前記クラッチの締結不良を判定するにあたって参照する条件が成立した時間を累積し、その累積値が所定値になった場合に前記クラッチに締結不良が生じていると判定する、
故障判定装置。
【請求項４】
請求項３に記載の故障判定装置であって、
前記故障判定手段は、アクセルペダルが踏み込まれており、かつ、前記クラッチにおける回転速度差が略ゼロである場合は、前記累積値をリセットする、
故障判定装置。
【請求項５】
請求項３又は４に記載の故障判定装置であって、
前記故障判定手段は、前記ウェットスタートクラッチ制御中に、前記トルク偏差が第１復帰判定値よりも小さく、かつ、前記クラッチにおける回転速度差が第２復帰判定値よりも小さい場合は、前記累積値をリセットする、
故障判定装置。
【請求項６】
直列に配置されるエンジン及びモータと、前記モータと駆動輪との間に配置されるクラッチと、前記クラッチに供給される油圧を調圧する調圧機構と、少なくとも発進時に前記クラッチに供給される油圧を前記調圧機構によって前記クラッチがスリップする油圧に調圧するウェットスタートクラッチ制御を行うハイブリッド車両における故障判定方法であって、
アクセル開度に基づき要求駆動力を演算し、該要求駆動力を前記クラッチで伝達するのに必要な前記クラッチのトルク容量を目標トルク容量として演算する目標トルク容量演算ステップと、
前記エンジンの実トルク及び前記モータの実トルクを演算する実トルク演算ステップと、
前記目標トルク容量と前記エンジンの実トルク及び前記モータの実トルクの和との偏差であるトルク偏差を演算するトルク偏差演算ステップと、
前記ウェットスタートクラッチ制御中に前記トルク偏差が第１故障判定値よりも大きくなった場合に前記クラッチに締結不良が生じていると判定する故障判定ステップと、
を含む故障判定方法。
【発明の詳細な説明】
【技術分野】
【０００１】
本発明は、ハイブリッド車両において、クラッチに供給される油圧が不足することによるクラッチの締結不良（ＭＩＮ圧故障）を判定する技術に関する。
【背景技術】
【０００２】
ＪＰ２０１０−１５５５９０Ａには、エンジンとモータとを直列に配置し、エンジンとモータとの間に第１クラッチ、モータと駆動輪との間に第２クラッチを配置したハイブリッド車両が開示されている。【０００３】
このような構成のハイブリッド車両においては、第１クラッチを解放し第２クラッチを締結すればモータのみで走行するＥＶモードとなり、第１クラッチ及び第２クラッチを締結すればエンジン及びモータで走行するＨＥＶモードとなる。【０００４】
また、発進時又は減速して停車する時に第２クラッチをスリップさせるウェットスタートクラッチ制御を行うことによって、トルクコンバータに頼ることなく、スムーズな発進及び停車を実現している。
【発明の概要】
【０００５】
クラッチに供給される油圧が不足してクラッチの締結不良（ＭＩＮ圧故障）が生じているか否かは、通常、クラッチにおける回転速度差（入力側要素の回転速度と出力側要素の回転速度との差）に基づき判定することができる。すなわち、Ｄ、Ｒ等のセレクトポジションが走行ポジションに操作されてクラッチが締結されているはずの状態でクラッチにおいて回転速度差がある場合は、クラッチの締結不良が生じていると判定することができる。
【０００６】
しかしながら、上記ハイブリッド車両においては、セレクトポジションが走行ポジションに操作されても、第２クラッチがウェットスタートクラッチ制御によってスリップ状態になり、完全締結しない。このため、ウェットスタートクラッチ制御中は第２クラッチが正常であっても回転速度差が生じ、また、第２クラッチに締結不良が生じてもエンジンの空吹きがモータの回生によって抑えられて回転速度差が拡大しないので、ウェットスタートクラッチ制御による回転速度差と第２クラッチの締結不良による回転速度差とを区別できず、回転速度差のみからはクラッチの締結不良を正しく判定することができない。
【０００７】
第２クラッチに供給される油圧を検出するセンサ又はスイッチを設ければ、油圧に基づきクラッチの締結不良を判定することができるが、この場合は油圧を検出するセンサ又はスイッチを設ける必要があり、コストが上昇する。
【０００８】
本発明は、このような技術的課題に鑑みてなされたもので、ウェットスタートクラッチ制御を行うハイブリッド車両において、クラッチに供給される油圧が不足することによるクラッチの締結不良（ＭＩＮ圧故障）をウェットスタートクラッチ制御中であっても判定できるようにすることを目的とする。
【０００９】
本発明のある態様によれば、直列に配置されるエンジン及びモータと、前記モータと駆動輪との間に配置されるクラッチと、前記クラッチに供給される油圧を調圧する調圧機構と、少なくとも発進時に前記クラッチに供給される油圧を前記調圧機構によって前記クラッチがスリップする油圧に調圧するウェットスタートクラッチ制御を行うハイブリッド車両の故障判定装置であって、アクセル開度に基づき要求駆動力を演算し、該要求駆動力を前記クラッチで伝達するのに必要な前記クラッチのトルク容量を目標トルク容量として演算する目標トルク容量演算手段と、前記エンジンの実トルク及び前記モータの実トルクを演算する実トルク演算手段と、前記目標トルク容量と前記エンジンの実トルク及び前記モータの実トルクの和との偏差であるトルク偏差を演算するトルク偏差演算手段と、前記ウェットスタートクラッチ制御中に前記トルク偏差が第１故障判定値よりも大きくなった場合に前記クラッチに締結不良が生じていると判定する故障判定手段と、を備えた故障判定装置が提供される。
【００１０】
また、本発明の別の態様によれば、これに対応する故障判定方法が提供される。
【００１１】
これらの態様によれば、ウェットスタートクラッチ制御中であってもクラッチの締結不良（ＭＩＮ圧故障）を判定することができ、クラッチの締結不良を早期に判定することができる。
【図面の簡単な説明】
【００１２】
【図１】図１は、本発明の実施形態に係る故障判定装置が適用されるハイブリッド車両の全体構成図である。
【図２】図２は、モード切換マップの一例である。
【図３】図３は、故障判定処理の内容を示したフローチャートである。
【図４】図４は、第２クラッチの締結不良が判定される様子を示したタイムチャートである。
【図５】図５は、モータ回生が十分でない状況で第２クラッチの締結不良が判定される様子を示したタイムチャートである。
【発明を実施するための形態】
【００１３】
以下、添付図面を参照しながら本発明の実施形態について説明する。
【００１４】
図１は、ハイブリッド車両（以下、車両という。）１００の全体構成図である。車両１００は、エンジン１と、第１クラッチ２と、モータジェネレータ（以下、ＭＧという。）３と、第１オイルポンプ４と、第２オイルポンプ５と、第２クラッチ６と、無段変速機（以下、ＣＶＴという。）７と、駆動輪８と、統合コントローラ５０とを備える。
【００１５】
エンジン１は、ガソリン、ディーゼル油等を燃料とする内燃機関であり、統合コントローラ５０からの指令に基づいて、回転速度、トルク等が制御される。
【００１６】
第１クラッチ２は、エンジン１とＭＧ３との間に介装されたノーマルオープンの油圧式クラッチである。第１クラッチ２は、統合コントローラ５０からの指令に基づき、第１オイルポンプ４又は第２オイルポンプ５の吐出圧を元圧として油圧コントロールバルブユニット７１によって調圧された油圧によって、締結・解放状態が制御される。第１クラッチ２としては、例えば、乾式多板クラッチが用いられる。
【００１７】
ＭＧ３は、エンジン１に対して直列に配置され、ロータに永久磁石を埋設しステータにステータコイルが巻き付けられた同期型回転電機である。ＭＧ３は、統合コントローラ５０からの指令に基づいて、インバータ９により作り出された三相交流を印加することにより制御される。ＭＧ３は、バッテリ１０からの電力の供給を受けて回転駆動する電動機として動作することができる。また、ＭＧ３は、ロータがエンジン１や駆動輪８から回転エネルギーを受ける場合には、ステータコイルの両端に起電力を生じさせる発電機として機能し、バッテリ１０を充電することができる。
【００１８】
第１オイルポンプ４は、ＭＧ３の回転がベルト４ｂを介して伝達されることによって動作するベーンポンプである。第１オイルポンプ４は、ＣＶＴ７のオイルパン７２に貯留される作動油を吸い上げ、油圧コントロールバルブユニット７１に油圧を供給する。
【００１９】
第２オイルポンプ５は、バッテリ１０から電力の供給を受けて動作する電動オイルポンプである。第２オイルポンプ５は、統合コントローラ５０からの指令に基づき、第１オイルポンプ４のみでは油量が不足する場合に駆動され、第１オイルポンプ４と同様にＣＶＴ７のオイルパン７２に貯留される作動油を吸い上げ、油圧コントロールバルブユニット７１に油圧を供給する。
【００２０】
第２クラッチ６は、ＭＧ３とＣＶＴ７及び駆動輪８との間に介装される。第２クラッチは、統合コントローラ５０からの指令に基づき、第１オイルポンプ４又は第２オイルポンプ５の吐出圧を元圧として油圧コントロールバルブユニット７１によって調圧された油圧により、締結・解放が制御される。第２クラッチ６としては、例えば、ノーマルオープンの湿式多板クラッチが用いられる。
【００２１】
ＣＶＴ７は、ＭＧ３の下流に配置され、車速やアクセル開度等に応じて変速比を無段階に変更することができる。ＣＶＴ７は、プライマリプーリと、セカンダリプーリと、両プーリに掛け渡されたベルトとを備える。第１オイルポンプ４及び第２オイルポンプ５からの吐出圧を元圧として油圧コントロールバルブユニット７１によってプライマリプーリ圧とセカンダリプーリ圧を作り出し、プーリ圧によりプライマリプーリの可動プーリとセカンダリプーリの可動プーリとを軸方向に動かし、ベルトのプーリ接触半径を変化させることで、変速比を無段階に変更する。
【００２２】
ＣＶＴ７の出力軸には、図示しない終減速ギヤ機構を介してディファレンシャル１２が接続され、ディファレンシャル１２には、ドライブシャフト１３を介して駆動輪８が接続される。
【００２３】
統合コントローラ５０には、エンジン１の回転速度Ｎｅを検出する回転速度センサ５１、ＣＶＴ７の入力回転速度Ｎｉｎ（＝第２クラッチ６の出力回転速度）を検出する回転速度センサ５２、アクセル開度ＡＰＯを検出するアクセル開度センサ５３、ＣＶＴ７のセレクトポジション（前進、後進、ニュートラル及びパーキングを切り替えるセレクトレバー又はセレクトスイッチの状態）を検出するインヒビタスイッチ５４、車速ＶＳＰを検出する車速センサ５５等からの信号が入力される。統合コントローラ５０は、入力されるこれら信号に基づき、エンジン１、ＭＧ３（インバータ９）、ＣＶＴ７に対する各種制御を行う。
【００２４】
具体的には、統合コントローラ５０は、アクセル開度ＡＰＯ及び車速ＶＳＰに基づき要求駆動力（運転者が要求する加速度を実現する駆動力）を演算し、この要求駆動力が実現されるようエンジン１及びＭＧ３のトルクをそれぞれ制御する。
【００２５】
また、統合コントローラ５０は、要求駆動力を伝達可能な第２クラッチ６のトルク容量を目標トルク容量に設定し、第２クラッチ６のトルク容量が目標トルク容量となるように油圧コントロールバルブユニット７１から第２クラッチ６に供給される油圧を制御する。
【００２６】
また、統合コントローラ５０は、アクセル開度ＡＰＯ及び車速ＶＳＰに基づき目標変速比を演算し、この目標変速比が実現されるようにＣＶＴ７の変速比を制御する。
【００２７】
また、統合コントローラ５０は、図２に示すモード切換マップを参照して、車両１００の運転モードとして、ＥＶモードとＨＥＶモードとを切り換える。
【００２８】
ＥＶモードは、第１クラッチ２を解放し、ＭＧ３のみを駆動源として走行するモードである。ＥＶモードは、要求駆動力が低く、バッテリ１０のＳＯＣが十分な時に選択される。
【００２９】
ＨＥＶモードは、第１クラッチ２を締結し、エンジン１とＭＧ３とを駆動源として走行するモードである。ＨＥＶモードは、要求駆動力が高い時、あるいは、バッテリ１０のＳＯＣが不足する時に選択される。
【００３０】
なお、ＥＶモードとＨＥＶモードとの切り換えがハンチングしないように、ＥＶモードからＨＥＶモードへの切換線は、ＨＥＶモードからＥＶモードへの切換線よりも高車速側かつアクセル開度大側に設定される。
【００３１】
また、車両１００がトルクコンバータを備えていないので、図２に示すウェットスタートクラッチ領域（発進・減速停車時に使用される車速がＶＳＰ１以下の低車速領域、ＶＳＰ１は、例えば、１０ｋｍ／ｈ）では、統合コントローラ５０は、第２クラッチ６をスリップさせながら発進及び停止するウェットスタートクラッチ制御を行う。
【００３２】
具体的には、ＣＶＴ７のセレクトポジションがＮ、Ｐ等の非走行ポジションからＤ、Ｒ等の走行ポジションに切り換えられて車両１００が発進する場合は、統合コントローラ５０は、第２クラッチ６に供給される油圧を徐々に増大させ、第２クラッチ６をスリップさせながら徐々に締結する。そして、車速がＶＳＰ１に到達すると、統合コントローラ５０は、第２クラッチ６を完全締結し、ウェットスタートクラッチ制御を終了する。
【００３３】
また、ＣＶＴ７のセレクトポジションが走行ポジションで車両１００が走行しており、車両１００が減速してＶＳＰ１まで車速が低下した場合は、統合コントローラ５０は、第２クラッチ６に供給される油圧を徐々に低下させ、第２クラッチ６をスリップさせながら徐々に解放する。そして、車両１００が停車すると、統合コントローラ５０は、第２クラッチ６を完全解放し、ウェットスタートクラッチ制御を終了する。
【００３４】
なお、ウェットスタートクラッチ制御中は、統合コントローラ５０は、第２クラッチ６における回転速度差が目標とする回転速度差になるように、エンジン１及びＭＧ３を制御する。
【００３５】
ところで、車両１００において、第２クラッチ６に供給する油圧が不足して第２クラッチ６の締結不良（ＭＩＮ圧故障）が生じた場合は、その元となるライン圧が低下している可能性があり、ライン圧が低下しているとＣＶＴ７においてベルト滑りが発生する可能性がある。このため、第２クラッチ６の締結不良が生じた場合は、早急にそれを判定し、エンジン１及びＭＧ３のトルクダウン等、適切な制御を行う必要がある。
【００３６】
しかしながら、上記の通り、ウェットスタートクラッチ制御中、第２クラッチ６はスリップ状態になるので、ウェットスタートクラッチ制御中は、第２クラッチ６の締結不良の発生の有無に関わらず第２クラッチ６に回転速度差が生じ、回転速度差のみに基づいて第２クラッチに締結不良が生じているか否かの判定をすることが難しい。
【００３７】
そこで、車両１００においては、以下に説明する故障判定処理により、第２クラッチ６に締結不良が生じているかの判定を行う。
【００３８】
図３は、統合コントローラ５０が行う第２クラッチ６の故障判定処理の内容を示したフローチャートである。
【００３９】
これについて説明すると、まず、Ｓ１では、統合コントローラ５０は、故障判定条件が成立しているか判断する。故障判定条件は、ＣＶＴ７のセレクトポジションがＤ、Ｒ等の走行用ポジションにあり、アクセル開度が０よりも大きく、運転モード切換中でなく、セレクトポジション変更中でなく、かつ、センサ等のフェールが検知されていない場合に成立していると判断される。故障判定条件が成立している場合は処理がＳ２に進み、そうでない場合は処理が終了する。
【００４０】
Ｓ２では、統合コントローラ５０は、アクセル開度ＡＰＯ、車速ＶＳＰ、エンジン１の回転速度Ｎｅ、ＭＧ３の回転速度Ｎｍ、ＣＶＴ７の入力回転速度Ｎｉｎを読み込む。アクセル開度ＡＰＯ、車速ＶＳＰ、エンジン１の回転速度Ｎｅ、及び、ＣＶＴ７の入力回転速度Ｎｉｎはセンサにより検出された値であり、ＭＧ３の回転速度ＮｍはＭＧ３の制御信号から演算される値である。
【００４１】
Ｓ３では、統合コントローラ５０は、エンジン１の実トルクＴｅ及びＭＧ３の実トルクＴｍを演算する。エンジン１の実トルクＴｅは、アクセル開度ＡＰＯ及びエンジン１の回転速度Ｎｅに基づき、エンジン１のトルクマップを参照することによって演算することができる。ＭＧ３の実トルクは、ＭＧ３の電気負荷（電流値）に基づき演算することができる。
【００４２】
Ｓ４では、統合コントローラ５０は、第２クラッチ６の目標トルク容量Ｔｃを演算する。目標トルク容量Ｔｃは、アクセル開度ＡＰＯ及び車速ＶＳＰに基づき演算される要求駆動力を伝達するのに必要な第２クラッチ６のトルク容量であり、要求駆動力に基づき演算することができる。
【００４３】
Ｓ５では、統合コントローラ５０は、ＭＧ３の回生によって第２クラッチ６締結不良時のエンジン１の空吹きを抑制することができるか判断する。エンジン１の空吹きを抑制できるかは、エンジン１の実トルク及びＭＧ３の回生能力に依存し、アクセル開度ＡＰＯが所定開度ＡＰＯｔｈよりも小さい場合、又は、バッテリ１０のＳＯＣが所定の所定値ＳＯＣｔｈよりも小さい場合に、ＭＧ３の回生によってエンジン１の空吹きを抑制することができると判断される。
【００４４】
ＭＧ３の回生によってエンジン１の空吹きを抑制することができると判断された場合は処理がＳ６に進み、抑制する事ができないと判断された場合は処理がＳ１０に進む。
【００４５】
Ｓ６では、統合コントローラ５０は、第２クラッチ６の目標トルク容量Ｔｃとエンジン１の実トルクＴｅ及びＭＧ３の実トルクＴｍの和（＝ＣＶＴ７の実入力トルク）との偏差の絶対値（以下、「トルク偏差」という。）を演算し、これが第１故障判定値δ１よりも大きいか判断する。
【００４６】
第２クラッチ６に締結不良が発生している場合は、第２クラッチ６における回転速度差が目標とする回転速度差よりも大きくならないようにＭＧ３による回生が行われ、ＭＧ３のトルクが負値になるので、エンジン１及びＭＧ３から第２クラッチ６に入力されるトルクが小さくなり、トルク偏差が大きくなる。
【００４７】
したがって、トルク偏差が第１故障判定値δ１よりも大きい場合は、統合コントローラ５０は、第２クラッチ６に締結不良が生じている可能性があると判断され、処理がＳ７に進む。そうでない場合は処理がＳ１４に進む。
【００４８】
Ｓ７では、統合コントローラ５０は、故障判定フラグに１をセットするとともに、故障判定タイマをカウントアップする。故障判定タイマは、トルク偏差が第１故障判定値δ１よりも大きくなっている時間を計測するためのタイマである。
【００４９】
Ｓ８では、統合コントローラ５０は、故障判定タイマの値が故障判定閾値ＴＦＡＩＬよりも大きくなったか判断する。故障判定タイマの値が故障判定閾値ＴＦＡＩＬよりも大きい場合は処理がＳ９に進み、統合コントローラ５０は、第２クラッチ６に締結不良が発生していると判定する。故障判定タイマの値が故障判定閾値ＴＦＡＩＬよりも大きくない場合は処理が終了する。
【００５０】
トルク偏差が第１故障判定値δ１よりも大きくなった場合に直ちに第２クラッチ６に締結不良が生じていると判断しないのは、セレクトポジションが走行用ポジションになって統合コントローラ５０は走行用ポジションと認識しているにもかかわらず油圧コントロールバルブユニット７１の作動遅れによって第２クラッチ６が締結していない状態（疑似Ｄ状態）である場合にもトルク偏差が一時的に第１故障判定値δ１よりも大きくなるので、このような疑似Ｄ状態と第２クラッチ６の締結不良とを区別するためである。
【００５１】
一方、Ｓ５でＭＧ３の回生によってエンジン１の空吹きを抑制することができないと判断されて進むＳ１０では、統合コントローラ５０は、ＭＧ３の回転速度ＮｍとＣＶＴ７の入力回転速度Ｎｉｎとに基づき第２クラッチ６における回転速度差を演算し、これが第２故障判定値δ２よりも大きいか判断する。
【００５２】
第２クラッチ６に締結不良が発生している場合は、上記の通り、第２クラッチ６における回転速度差が目標とする回転速度差よりも大きくならないようにＭＧ３による回生が行われる。しかしながら、アクセル開度ＡＰＯが大きくエンジン１の空吹きをＭＧ３の回生で抑制できない場合、又は、バッテリ１０のＳＯＣが高いためにＭＧ３による回生を十分に行えずエンジン１の空吹きをＭＧ３の回生で抑制できない場合は、エンジン１の空吹きが生じ、上記トルク偏差による第２クラッチ６の締結不良の判定が難しくなる。
【００５３】
このため、このような場合は、第２クラッチ６における回転速度差に基づいた第２クラッチ６に締結不良の判定を行うようにし、回転速度差が第２故障判定値δ２よりも大きい場合は、第２クラッチ６に締結不良が生じている可能性があるとして、処理がＳ１１に進み、そうでない場合は処理がＳ１４に進む。
【００５４】
Ｓ１１〜Ｓ１３の処理はＳ７〜Ｓ９の処理と同じであり、故障判定フラグに１がセットされて故障判定タイマがカウントアップされる。そして、故障判定タイマの値が故障判定閾値ＴＦＡＩＬよりも大きくなった場合には第２クラッチ６に締結不良が発生していると判定される。
【００５５】
一方、Ｓ６でトルク偏差が第１故障判定値δ１よりも小さいと判断された場合、及び、Ｓ１０で回転速度差が第２故障判定値δ２よりも小さいと判断された場合は、処理がＳ１４に進み、統合コントローラ５０は故障判定フラグに０をセットする。
【００５６】
Ｓ１５では、統合コントローラ５０は、復帰判定条件が成立しているか判断する。復帰判定条件は、以下の２つの条件のいずれかが成立している場合に成立していると判断される。
・トルク偏差＜第１復帰判定値Δ１、かつ、回転速度差＜第２復帰判定値Δ２
・アクセル開度ＡＰＯ＞０、かつ、回転速度差≒０
【００５７】
復帰判定条件が成立していると判断された場合は処理がＳ１６に進み、復帰判定タイマがカウントアップされる。
【００５８】
Ｓ１７では、統合コントローラ５０は、復帰判定タイマが復帰判定閾値ＴＳＡＦＥよりも大きくなったか判断する。復帰判定タイマが復帰判定閾値ＴＳＡＦＥよりも大きくなったと判断された場合は処理がＳ１８に進み、統合コントローラ５０は、故障判定タイマ及び復帰判定タイマをリセットし、第２クラッチ６が正常であると判定する。
【００５９】
図４は、アクセルペダルが踏み込まれて車両が発進する時に第２クラッチ６の故障判定が行われる様子を示している。この例では、アクセルペダルが２回踏み込まれており、１回目の踏み込み時に第２クラッチ６に油圧が供給されない不具合が発生している。
【００６０】
このため時刻ｔ１１〜ｔ１２では、回転速度差の上昇を抑えるためにＭＧ３によって回生が行われており、ＭＧ３のトルクが負になることでトルク偏差（第２クラッチ６の目標トルク容量Ｔｃとエンジン１の実トルクＴｅ及びＭＧ３の実トルクＴｍの和のとの偏差）が大きくなり、故障判定フラグが１になる。
【００６１】
この間、故障判定タイマのカウントアップが行われるが、この例では故障判定タイマの値が故障判定閾値ＴＦＡＩＬに達する前にトルク偏差が小さくなって故障判定フラグが０になっているため、第２クラッチ６に締結不良が発生しているとの判定はなされない。
【００６２】
２回目の踏み込みでは第２クラッチ６に油圧が正常に供給され、ウェットスタートクラッチ制御が正常に行われている。
【００６３】
ウェットスタートクラッチ制御中、ＭＧ３による回生は行われないので、トルク偏差は第１復帰判定値Δ１よりも小さく、また、ウェットスタートクラッチ制御が進行するにつれ第２クラッチ６における回転速度差が小さくなり、時刻ｔ１３で第２復帰判定値Δ２よりも小さくなる。
【００６４】
そしてこの状態が所定時間（復帰判定タイマが復帰判定閾値ＴＳＡＦＥに達するまでの時間）継続すると、故障判定タイマ及び復帰判定タイマがリセットされる（時刻ｔ１４）。
【００６５】
また、図５は、アクセルペダルが大きく踏み込まれて車両が発進する時に第２クラッチ６の故障判定が行われる様子を示している。この例では、アクセルペダルが２回踏み込まれており、１回目の踏み込み時に第２クラッチ６に油圧が供給されない不具合が発生している。
【００６６】
時刻ｔ２１〜ｔ２２では、第２クラッチ６における回転速度差が大きくなり、故障判定フラグが１になる。そして、この間、故障判定タイマのカウントアップが行われるが、この例では故障判定タイマの値が故障判定閾値ＴＦＡＩＬに達する前にトルク偏差が小さくなって故障判定フラグが０になっているため、第２クラッチ６に締結不良が発生しているとの判定はなされない。
【００６７】
２回目の踏み込みでは第２クラッチ６に油圧が正常に供給され、ウェットスタートクラッチ制御が正常に行われている。
【００６８】
ウェットスタートクラッチ制御中、ＭＧ３による回生は行われないので、トルク偏差は第１復帰判定値Δ１よりも小さく、また、ウェットスタートクラッチ制御が進行するにつれ第２クラッチ６における回転速度差が小さくなり、時刻ｔ２３で第２復帰判定値Δ２よりも小さくなる。
【００６９】
そしてこの状態が所定時間（復帰判定タイマが復帰判定閾値ＴＳＡＦＥに達するまでの時間）継続すると、故障判定タイマ及び復帰判定タイマがリセットされる（時刻ｔ２４）。
【００７０】
したがって、上記故障判定処理によれば、セレクトポジションが非走行ポジションから走行ポジションに操作され、ウェットスタートクラッチ制御が行われている間であっても、トルク偏差に基づき第２クラッチ６の締結不良を判定することができる。これにより、第２クラッチ６の締結不良を早期に判定することができ、エンジン１及びＭＧ３のトルクダウン等、適切な制御を開始することができる。
【００７１】
また、アクセルペダルの踏み込み量が大きくエンジン１の空吹きの程度が大きい、バッテリ１０のＳＯＣが高くＭＧ３によって十分な回生を行えない等によって、第２クラッチ６の締結不良によるエンジン１の空吹きをＭＧ３の回生によって抑制できない状況では、第２クラッチ６における回転速度差に基づき第２クラッチ６の締結不良を判定するようにした。これにより、エンジン１の空吹きが発生し、上記トルク偏差による第２クラッチ６の締結不良の判定が難しくなる場合であっても、第２クラッチ６の締結不良を判定することができる。
【００７２】
また、第２クラッチ６の締結不良を判定するにあたって参照する条件が成立した時間の累積値が所定値になった場合に第２クラッチ６に締結不良が生じていると判定するようにしたことで、故障判定の精度を向上させることができる。特に、疑似Ｄのように一時的に第２クラッチ６が締結されない状況を第２クラッチ６の締結不良と誤判定するのを防止することができる。
【００７３】
また、アクセルペダルが踏み込まれており、かつ、第２クラッチ６における回転速度差が略ゼロの場合や、ウェットスタートクラッチ制御中に、トルク偏差が第１復帰判定値Δ１よりも小さく、かつ、第２クラッチ６における回転速度差が第２復帰判定値Δ２よりも小さい場合のように、第２クラッチ６が正常であると判断できる状況では累積値をリセットするようにした。
【００７４】
これにより、第２クラッチ６が一時的に締結不良になった場合であっても、その後復帰した場合には第２クラッチ６が正常であると判定することができ、エンジン１及びＭＧ３のトルクダウン等が不必要に行われるのを防止することができる。
【００７５】
以上、本発明の実施形態について説明したが、上記実施形態は本発明の適用例の一部を示したものに過ぎず、本発明の技術的範囲を上記実施形態の具体的構成に限定する趣旨ではない。
【００７６】
例えば、上記実施形態では車両１００が変速機としてＣＶＴ７を備えているが、ＣＶＴ７に代えてその他の方式の変速機（ステップＡＴ、トロイダルＣＶＴ、２ペダルＭＴ等）を備えていてもよい。
【００７７】
本願は日本国特許庁に２０１３年６月３日に出願された特願２０１３−１１６８３５号に基づく優先権を主張し、この出願の全ての内容は参照により本明細書に組み込まれる。
【図１】
0005981650.tif 000002
【図２】
0005981650.tif 000003
【図３】
0005981650.tif 000004
【図４】
0005981650.tif 000005
【図５】
0005981650.tif 000006